(57)【特許請求の範囲】
【請求項１】
光ディスクに対する情報の記録または読取を行うための光ビームの収差を補正する収差補正装置であって、
前記光ディスクに向けて照射される光ビームの光軸と交わるように配置され、前記光ビームの光路長を部分的に変更することができる光学素子と、
前記光ディスクの種類を判別するディスク判別手段と、
前記ディスク判別手段により判別された光ディスクの種類に対応した順位を球面収差、コマ収差および非点収差のそれぞれにつき設定する順位設定手段と、
前記順位設定手段により設定された順位に従って球面収差、コマ収差および非点収差を順に除去または低減するように前記光学素子における前記光ビームの光路長の部分的変更を制御する光学素子制御手段とを備えていることを特徴とする収差補正装置。
【請求項２】
設定すべき収差の順位と光ディスクの種類との対応関係を示す情報を記憶した記憶手段を備え、
前記順位設定手段は、前記記憶手段に記憶された前記情報を参照し、前記情報に基づいて前記順位の設定を行うことを特徴とする請求の範囲第１項に記載の収差補正装置。
【請求項３】
光ディスクに対する情報の記録または読取を行うための光ビームの収差を補正する収差補正装置であって、
前記光ディスクに向けて照射される光ビームの光軸と交わるように配置され、前記光ビームの光路長を部分的に変更することができる光学素子と、
前記光ディスクの種類を判別するディスク判別手段と、
前記ディスク判別手段により判別された光ディスクの種類に対応した２種類の収差を球面収差、コマ収差および非点収差の中から選択し、かつ前記ディスク判別手段により判別された光ディスクの種類に対応した順位を前記選択された２種類の収差のそれぞれにつき設定する順位設定手段と、
前記順位設定手段により選択された２種類の収差を、前記順位設定手段により設定された順位に従って順に除去または低減するように前記光学素子における前記光ビームの光路長の部分的変更を制御する光学素子制御手段とを備えていることを特徴とする収差補正装置。
【請求項４】
選択すべき２種類の収差と光ディスクの種類との対応関係を示す第１情報、および設定すべき収差の順位と光ディスクの種類との対応関係を示す第２情報をそれぞれ記憶した記憶手段を備え、
前記順位選択手段は、前記記憶手段に記憶された前記第１情報を参照し、前記第１情報に基づいて前記収差の選択を行い、前記記憶手段に記憶された前記第２情報を参照し、前記第２情報に基づいて前記順位の設定を行うことを特徴する請求の範囲第３項に記載の収差補正装置。
【請求項５】
前記光学素子は、液晶と、前記液晶を挟んで対向する２個の電極層と、前記電極層にそれぞれ形成された複数の電極とを備えた液晶光学素子であり、
前記光学素子制御手段は、前記複数の電極に対する電圧の印加を制御する電圧印加制御手段を備えていることを特徴とする請求の範囲第１項の収差補正装置。
【請求項６】
前記光学素子は、液晶と、前記液晶を挟んで対向する２個の電極層と、前記電極層にそれぞれ形成された複数の電極とを備えた液晶光学素子であり、
前記光学素子制御手段は、前記複数の電極に対する電圧の印加を制御する電圧印加制御手段を備えていることを特徴とする請求の範囲第３項の収差補正装置。
【請求項７】
請求の範囲第１項の収差補正装置を備えた光ピックアップ。
【請求項８】
請求の範囲第３項の収差補正装置を備えた光ピックアップ。
【請求項９】
光ディスクに対する情報の記録または読取を行うために前記光ディスクに向けて照射される光ビームの光軸と交わるように配置され前記光ビームの光路長を部分的に変更することができる光学素子を制御することにより、前記光ビームの収差を補正する収差補正方法であって、
前記光ディスクの種類を判別するディスク判別工程と、
前記ディスク判別工程において判別された光ディスクの種類に対応した順位を球面収差、コマ収差および非点収差のそれぞれにつき設定する順位設定工程と、
前記順位設定工程において設定された順位に従って球面収差、コマ収差および非点収差を順に除去または低減するように前記光学素子における前記光ビームの光路長の部分的変更を制御する光学素子制御工程とを備えていることを特徴とする収差補正方法。
【請求項１０】
光ディスクに対する情報の記録または読取を行うために前記光ディスクに向けて照射される光ビームの光軸と交わるように配置され前記光ビームの光路長を部分的に変更することができる光学素子を制御することにより、前記光ビームの収差を補正する収差補正方法であって、
前記光ディスクの種類を判別するディスク判別工程と、
前記ディスク判別工程において判別された光ディスクの種類に対応した２種類の収差を球面収差、コマ収差および非点収差の中から選択し、かつ前記ディスク判別工程において判別された光ディスクの種類に対応した順位を前記選択された２種類の収差のそれぞれにつき設定する順位設定工程と、
前記順位設定工程において選択された２種類の収差を、前記順位設定工程において設定された順位に従って順に除去または低減するように前記光学素子における前記光ビームの光路長の部分的変更を制御する光学素子制御工程とを備えていることを特徴とする収差補正方法。
【請求項１１】
前記光学素子は、液晶と、前記液晶を挟んで対向する２個の電極層と、前記電極層にそれぞれ形成された複数の電極とを備えた液晶光学素子であり、
前記光学素子制御工程は、前記複数の電極に対する電圧の印加を制御する電圧印加制御工程を備えていることを特徴とする請求の範囲第９項の収差補正方法。
【請求項１２】
前記光学素子は、液晶と、前記液晶を挟んで対向する２個の電極層と、前記電極層にそれぞれ形成された複数の電極とを備えた液晶光学素子であり、
前記光学素子制御工程は、前記複数の電極に対する電圧の印加を制御する電圧印加制御工程を備えていることを特徴とする請求の範囲第１０項の収差補正方法。
【発明の詳細な説明】
【技術分野】
【０００１】
本発明は、例えば光ディスクに対して情報の記録または読取を行うために用いられる光ビームの収差を補正するための収差補正装置、収差補正装置を備えた光ピックアップ、および収差補正方法に関する。
【背景技術】
【０００２】
現在、ＤＶＤ、ＣＤ（Compact Disc）など様々な種類の光ディスクが普及している。さらに、ＤＶＤには、読み出し専用のＤＶＤ−ＲＯＭ（DVD-Read Only Memory）、追記型のＤＶＤ−Ｒ（DVD-Recordable）、書き換え可能型のＤＶＤ−ＲＷ（DVD-ReWritable）、同じく書き換え可能型のＤＶＤ−ＲＡＭ（DVD-Random Access Memory）などの種類がある。さらに、記録面が２層のＤＶＤ−ＲＯＭ、２層のＤＶＤ−Ｒも存在する。また、ＣＤにも、読み出し専用でコンピュータ用のＣＤ−ＲＯＭ、読み出し専用で音楽用のＣＤ−ＤＡ（Compact Disc Digital Audio）、追記型のＣＤ−Ｒ、書き換え可能型のＣＤ−ＲＷなどの種類がある。【０００３】
また、複数種類の光ディスクに対する情報の記録または読取を行うための機能を一体的に備えたディスクドライブが普及している。このようなディスクドライブは、マルチディスクドライブまたはマルチドライブなどと呼ばれている。例えば、上に列挙した光ディスクのほとんどすべてに対する情報の記録または読取を行う機能を一体的に備えたＤＶＤ／ＣＤ兼用のマルチディスクドライブが普及している。【０００４】
このようなマルチディスクドライブの多くは、複数種類の光ディスクに対する情報の記録または読取を行うための構造を一体的に備えた光ピックアップを搭載している。例えば、ＤＶＤ／ＣＤ兼用のマルチディスクドライブの多くは、ＤＶＤ／ＣＤ兼用の光ピックアップを搭載している。このような光ピックアップとして、複数の光ビームを１個の対物レンズによって光ディスク上に集光させる構造を備えたものがある。すなわち、このタイプの光ピックアップは、光ディスクの種類に応じた複数の光源を備え、各光源から出力される光ビームの光軸を統一の光軸に変換し、この統一光軸に交わるように配置された１個の対物レンズによって各光ビームを光ディスク上に集光する。【０００５】
ところで、ＤＶＤはＣＤに比べて記録密度が高い。情報の記録または読取の安定性または精度を確保するために、光ピックアップにおいて、ＤＶＤ用の光ビームについて球面収差およびコマ収差などの補正を行うことが望ましい。現在普及しているＤＶＤ／ＣＤ兼用の光ピックアップには、ＤＶＤ用の光ビームの球面収差およびコマ収差などを補正するために、液晶を用いた収差補正装置を備えているものがある。収差補正装置は、例えば液晶光学素子と、この液晶光学素子を駆動するための液晶ドライバとを備えている。液晶光学素子は、通常、対物レンズの入射側に位置し、統一光軸に交わるように配置される。液晶光学素子は、液晶を挟んで対向するように配置された２個の電極層を有する。これら電極層に形成された電極に電圧を印加することにより、液晶の配向を変え、液晶の屈折率を変化させ、液晶を通過する光ビームの光路長を変化させることができる。これにより、ＤＶＤ用の光ビームの波面を揃え、ＤＶＤ用の光ビームの球面収差およびコマ収差などを補正することができる。【０００６】
一方、ＣＤはＤＶＤに比べ記録密度が低いので、ＣＤ用の光ビームについてはコマ収差の補正を行うだけで十分であると一般に考えられてきた。実際に、現在普及しているＤＶＤ／ＣＤ兼用の光ピックアップに備えられた収差補正装置は、ＣＤ用の光ビームについてはコマ収差の補正を行う機能しか有していない。
【発明の開示】
【発明が解決しようとする課題】
【０００７】
ところが、ＣＤの普及が拡大する一方で、光ビームを照射する側の保護層の厚さにばらつきがあるＣＤが存在するようになった。このような現状に鑑み、ＣＤ用の光ビームについても球面収差の補正を行うことが望ましい。【０００８】
また、１個の光ピックアップで情報の記録または読取を行う光ディスクの種類が増加し、これに伴って光ピックアップの光学系が複雑化する傾向にある。また、２層ＤＶＤ−Ｒに対する情報の記録などを実現するために光ピックアップの光学系の高精度化が要求されている。このような現状に鑑み、少なくともＤＶＤ用の光ビームについて非点収差の補正を行うことが望ましい。【０００９】
以上のような要請に応じるためには、複数種類の光ディスクにそれぞれ対応する複数の光ビームについて、球面収差、コマ収差および非点収差の補正をそれぞれ行う機能を１個の収差補正装置に備えることが理想的には望ましい。しかし、これには以下のような問題がある。【００１０】
すなわち、１個の光ビームについて球面収差、コマ収差および非点収差の補正を行うと、光ビームの光路長の変更量が部分的に大きくなる。例えば、ある１個の光ビームについて、球面収差、コマ収差および非点収差の補正を行うと、この光ビームのある部分の光路長を同じ方向に３重に変更するといった事態が起こりうる。このような場合、当該光ビームにおいて３重の変更が積み重ねられた部分は、他の部分と比較して光路長の変更量が大幅に大きくなる。【００１１】
ところが、収差補正装置に用いられる液晶光学素子において光ビームの光路長を部分的に変更することが可能な範囲（以下、これを「光路長の変更可能範囲」という）は限られている。このため、１個の光ビームについて球面収差、コマ収差および非点収差のすべての補正を完全に行うことはできない場合がある。例えば、ある１個の光ビームについて、まず球面収差を補正するために当該光ビームのある部分の光路長を変更し、続いてコマ収差を補正するために当該光ビームの同じ部分の光路長を同じ方向にさらに変更し、この段階で、当該光ビームの光路長の実際の変更量が光路長の変更可能範囲の限界に達してしまい、次に予定されていた非点収差の補正を実行することができないといった事態が起こりうる。【００１２】
しかも、収差補正の重要性は、球面収差、コマ収差、非点収差といった収差の種類によって異なる。さらに、収差補正の重要性の順序は、光ディスクの種類によって異なる。ＤＶＤ−ＲＡＭに関する収差補正の重要性の高い順序は、例えば、非点収差、球面収差、コマ収差であるのに対し、２層ＤＶＤ−Ｒに関する収差補正の重要性の高い順序は、例えば、球面収差、非点収差、コマ収差である。また、ＣＤ−Ｒに関しては、上述したように球面収差の補正の必要性を看取したものの、やはり収差補正の重要性がもっとも高いのはコマ収差である。とすると、もし、収差補正を球面収差、コマ収差、非点収差の順序で行うとすれば、ＤＶＤ−ＲＡＭにとってもっとも重要な非点収差の補正が十分に実行されないおそれがある。一方、このような不都合を避けるために、収差補正を非点収差、コマ収差、球面収差の順序で行うとすれば、２層ＤＶＤ−Ｒにとってもっとも重要な球面収差の補正が十分に実行されないおそれがある。他方、これらの不都合を避けるために、収差補正を球面収差、非点収差、コマ収差の順序で行うとすれば、ＣＤ−Ｒにとってもっとも重要なコマ収差の補正が十分に実行されないおそれがある。【００１３】
このように、収差補正装置に用いられる液晶光学素子における光路長の変更可能範囲が限られるため、複数種類の光ディスクにそれぞれ対応する複数の光ビームについて、球面収差、コマ収差および非点収差の補正をそれぞれ行う機能を１個の収差補正装置に備えることは困難である。【００１４】
なお、この困難を克服するために、収差補正装置に用いられる液晶光学素子における光路長の変更可能範囲を拡張することが考えられる。光路長の変更可能範囲の拡張は、液晶光学素子の液晶の厚みを厚くすることによって実現することができる。【００１５】
しかし、液晶の厚みを厚くすると、液晶の応答速度が遅くなり、収差補正にかかる時間が長くなる。少なくとも球面収差および非点収差の補正は、光ディスクに対する情報の記録または読取を開始する前に行う必要があるため、収差補正にかかる時間が長くなると、光ディスクをディスクドライブに挿入してから、情報の記録または再生が開始されるまでにかかる時間が長くなるという問題がある。したがって、液晶の厚みを厚くすることによって光路長の変更可能範囲を拡張することは望ましくない。【００１６】
以上のような問題は、液晶光学素子ではなく他の光学素子を用いた収差補正装置でも生じうる。【００１７】
本発明は上記に例示したような問題点に鑑みなされたものであり、本発明の第１の課題は、複数種類の光ディスクにそれぞれ対応する複数の光ビームについての収差を効果的に補正することができ、これにより複数種類の光ディスクに対する情報の記録または読取の安定性または適切な精度を確保することができる収差補正装置、光ピックアップおよび収差補正方法を提供することにある。【００１８】
本発明の第２の課題は、収差補正を行う光学素子における光路長の変更可能範囲を拡張することなく、複数種類の光ディスクにそれぞれ対応する複数の光ビームについての収差補正をその重要度に応じて行うことができる収差補正装置、光ピックアップおよび収差補正方法を提供することにある。
【課題を解決するための手段】
【００１９】
上記課題を解決するために本発明の第１収差補正装置は、光ディスクに対する情報の記録または読取を行うための光ビームの収差を補正する収差補正装置であって、前記光ディスクに向けて照射される光ビームの光軸と交わるように配置され、前記光ビームの光路長を部分的に変更することができる光学素子と、前記光ディスクの種類を判別するディスク判別手段と、前記ディスク判別手段により判別された光ディスクの種類に対応した順位を球面収差、コマ収差および非点収差のそれぞれにつき設定する順位設定手段と、前記順位設定手段により設定された順位に従って球面収差、コマ収差および非点収差を順に除去または低減するように前記光学素子における前記光ビームの光路長の部分的変更を制御する光学素子制御手段とを備えている。【００２０】
上記課題を解決するために本発明の第２収差補正装置は、光ディスクに対する情報の記録または読取を行うための光ビームの収差を補正する収差補正装置であって、前記光ディスクに向けて照射される光ビームの光軸と交わるように配置され、前記光ビームの光路長を部分的に変更することができる光学素子と、前記光ディスクの種類を判別するディスク判別手段と、前記ディスク判別手段により判別された光ディスクの種類に対応した２種類の収差を球面収差、コマ収差および非点収差の中から選択し、かつ前記ディスク判別手段により判別された光ディスクの種類に対応した順位を前記選択された２種類の収差のそれぞれにつき設定する順位設定手段と、前記順位設定手段により選択された２種類の収差を、前記順位設定手段により設定された順位に従って順に除去または低減するように前記光学素子における前記光ビームの光路長の部分的変更を制御する光学素子制御手段とを備えている。【００２１】
上記課題を解決するために本発明の第３収差補正装置は、光ディスクに対する情報の記録または読取を行うための光ビームの収差を補正する収差補正装置であって、前記光ディスクに向けて照射される光ビームの光軸と交わるように配置され、前記光ビームの光路長を部分的に変更することができる光学素子と、前記光ディスクの種類を判別するディスク判別手段と、球面収差、コマ収差および非点収差のうちのいずれか２種類またはすべての中から、前記ディスク判別手段により判別された光ディスクの種類に対応した１種類の収差を選択する収差選択手段と、前記収差選択手段により選択された収差を除去または低減するように前記光学素子における前記光ビームの光路長の部分的変更を制御する光学素子制御手段とを備えている。【００２２】
上記課題を解決するために本発明の光ピックアップは、本発明の第１ないし第３収差補正装置を備えている。【００２３】
上記課題を解決するために本発明の第１収差補正方法は、光ディスクに対する情報の記録または読取を行うために前記光ディスクに向けて照射される光ビームの光軸と交わるように配置され前記光ビームの光路長を部分的に変更することができる光学素子を制御することにより、前記光ビームの収差を補正する収差補正方法であって、前記光ディスクの種類を判別するディスク判別工程と、前記ディスク判別工程において判別された光ディスクの種類に対応した順位を球面収差、コマ収差および非点収差のそれぞれにつき設定する順位設定工程と、前記順位設定工程において設定された順位に従って球面収差、コマ収差および非点収差を順に除去または低減するように前記光学素子における前記光ビームの光路長の部分的変更を制御する光学素子制御工程とを備えている。【００２４】
上記課題を解決するために本発明の第２収差補正方法は、光ディスクに対する情報の記録または読取を行うために前記光ディスクに向けて照射される光ビームの光軸と交わるように配置され前記光ビームの光路長を部分的に変更することができる光学素子を制御することにより、前記光ビームの収差を補正する収差補正方法であって、前記光ディスクの種類を判別するディスク判別工程と、前記ディスク判別工程において判別された光ディスクの種類に対応した２種類の収差を球面収差、コマ収差および非点収差の中から選択し、かつ前記ディスク判別工程において判別された光ディスクの種類に対応した順位を前記選択された２種類の収差のそれぞれにつき設定する順位設定工程と、前記順位設定工程において選択された２種類の収差を、前記順位設定工程において設定された順位に従って順に除去または低減するように前記光学素子における前記光ビームの光路長の部分的変更を制御する光学素子制御工程とを備えている。【００２５】
上記課題を解決するために本発明の第３収差補正方法は、光ディスクに対する情報の記録または読取を行うために前記光ディスクに向けて照射される光ビームの光軸と交わるように配置され前記光ビームの光路長を部分的に変更することができる光学素子を制御することにより、前記光ビームの収差を補正する収差補正方法であって、前記光ディスクの種類を判別するディスク判別工程と、球面収差、コマ収差および非点収差のうちのいずれか２種類またはすべての中から、前記ディスク判別工程において判別された光ディスクの種類に対応した１種類の収差を選択する収差選択工程と、前記収差選択工程において選択された収差を除去または低減するように前記光学素子における前記光ビームの光路長の部分的変更を制御する光学素子制御工程とを備えている。【００２６】
本発明のこのような作用及び他の利得は次に説明する実施の形態から更に明らかにされる。
【図面の簡単な説明】
【００２７】
【図１】本発明の光ピックアップの実施形態を示す説明図である。
【図２】本発明の収差補正装置の第１実施形態を示す説明図である。
【図３】収差補正装置の一方の電極層を図２中の矢示III−III方向から見た平面図である。
【図４】収差補正装置の他方の電極層を図２中の矢示IV−IV方向から見た平面図である。
【図５】図２中のマイクロコンピュータの内部構造を示すブロック図である。
【図６】順位設定テーブルの一例を示す説明図である。
【図７】光ビームの波面の変化および光路長の変更可能範囲などを示す説明図である。
【図８】本発明の収差補正装置の第２実施形態におけるマイクロコンピュータの内部構造を示すブロック図である。
【図９】収差選択テーブルの一例を示す説明図である。
【符号の説明】
【００２８】
１  光ピックアップ
１６  収差補正装置
２１  液晶光学素子
２３、８１  マイクロコンピュータ
３３、３４  電極層
３７  液晶
４１〜４６、５１〜６０  電極
７１  ディスク判別部
７２  順位設定部
７３  記憶部
７４  駆動制御部
８２  収差選択部
【発明を実施するための最良の形態】
【００２９】
以下、本発明を実施するための最良の形態について実施形態毎に順に図面を参照しながら説明する。【００３０】
（第１実施形態）
本発明の第１実施形態である収差補正装置は、例えばＤＶＤ／ＣＤ兼用の光ピックアップに用いることができる。図１はＤＶＤ／ＣＤ兼用光ピックアップの構造を示している。図１に示すように、光ピックアップ１は、ＤＶＤ用の光ビームおよびＣＤ用の光ビームを切り換えることにより、ＤＶＤ用の光ビームおよびＣＤ用の光ビームを１個の対物レンズ１７を用いてＤＶＤおよびＣＤに集光させ、ＤＶＤおよびＣＤに対して情報の記録および読取を行うことができる。【００３１】
すなわち、ＤＶＤに対して情報の記録または読取を行うときには、ＤＶＤ用の半導体レーザ光源１１から例えば波長６６０ｎｍの光ビームが出力される。この光ビームは、ダイクロイックプリズム１３を通過し、コリメータレンズ１４に入射する。続いて、このＤＶＤ用の光ビームは、コリメータレンズ１４により平行光に変換され、ハーフミラー１５を通過し、統一光軸Ａに沿って進む。続いて、ＤＶＤ用の光ビームは、収差補正装置１６の液晶光学素子２１に入射する。収差補正装置１６は、ＤＶＤ用の光ビームについて収差の補正を行う。収差が補正されたＤＶＤ用の光ビームは、対物レンズ１７によって光ディスク１８（ＤＶＤ）の記録面上に集光される。続いて、この光ビームは光ディスク１８の記録面に反射し、対物レンズ１７および液晶光学素子２１を通過し、ハーフミラー１５に入射する。続いて、この反射光は、ハーフミラー１５により向きを変えられ、集光レンズ１９により受光素子２０の受光面に集光される。【００３２】
一方、ＣＤに対して情報の記録または読取を行うときには、ＣＤ用の半導体レーザ光源１２から例えば７８０ｎｍの光ビームが出力される。この光ビームは、ダイクロイックプリズム１３により向きを変えられ、コリメータレンズ１４に入射する。続いて、このＣＤ用の光ビームは、コリメータレンズ１４により平行光に変換され、ハーフミラー１５を通過し、統一光軸Ａに沿って進む。続いて、ＣＤ用の光ビームは、収差補正装置１６の液晶光学素子２１に入射する。収差補正装置１６は、ＣＤ用の光ビームについて収差の補正を行う。収差が補正されたＣＤ用の光ビームは、対物レンズ１７によって光ディスク１８（ＣＤ）の記録面上に集光される。続いて、この光ビームは、光ディスク１８の記録面に反射し、ＤＶＤ用の光ビームの反射光と同様の経路を辿って、受光素子２０の受光面に到達する。【００３３】
図２は、図１中の収差補正装置１６、すなわち本発明の第１実施形態である収差補正装置の構造を示している。【００３４】
収差補正装置１６は、図２に示すように、液晶光学素子２１、液晶ドライバ２２およびマイクロコンピュータ２３を備えている。【００３５】
液晶光学素子２１は、図１に示すように、光ピックアップ１において、ＤＶＤ用の光ビームの光軸とＣＤ用の光ビームの光軸とを一致させた統一光軸Ａと交わる位置に配置される。液晶光学素子２１は、基板３１、３２、電極層３３、３４、配向膜３５、３６および液晶３７を備えている。基板３１、３２は、透明の平板であり、例えばガラス材料により形成されている。電極層３３、３４は、基板３１、３２の内側面にそれぞれ形成されており、統一光軸Ａと交わり液晶３７を挟んで対向している。電極層３３、３４は透明な薄膜であり、例えばＩＴＯ（Indium Tin Oxide：インジウムスズ酸化物）などにより形成されている。また、電極層３３、３４には複数の電極が形成されている。配向膜３５、３６は、液晶３７に所定の分子配向を与える薄膜である。液晶３７は、電圧を印加することにより分子の配向が変化する性質を有する物質である。すなわち、電極層３３、３４に形成された電極に電圧を印加し、液晶３７に電圧を加えると、液晶分子の配向が変化し、液晶３７の屈折率が変化する。これにより、液晶３７を通過する光ビームの光路長（位相）を部分的に変更し、光ビームの波面を揃えることができる。なお、液晶光学素子２１は光学素子の具体例である。【００３６】
液晶ドライバ２２は、マイクロコンピュータ２３の制御に従い、電極層３３、３４に形成された複数の電極のそれぞれに電圧を印加する。液晶ドライバ２２は、電極層３３、３４に形成されたそれぞれの電極に電気的に接続されている。液晶ドライバ２２は、例えば、印加電圧を生成する電圧発生回路、およびマイクロコンピュータ２３の制御に従って電圧発生回路により生成される印加電圧の値を設定・変更する電圧設定回路などを備えている。なお、マイクロコンピュータ２３については図５を用いて後に説明する。【００３７】
図３は、図２中の液晶光学素子２１を矢示III−III方向から見た図であり、電極層３３に形成された電極のパターンを示している。図３において、電極層３３と統一光軸Ａとが交わる点をＰとする。また、中心点が点Ｐであり、直径がＤＶＤに関する有効径Ｄ１にほぼ等しい円を円Ｃ１とする。また、中心点が点Ｐであり、直径がＣＤに関する有効径Ｄ２（Ｄ２＜Ｄ１）にほぼ等しい円を円Ｃ２とする。【００３８】
図３に示すように、電極層３３には、透明の電極４１、４２、４３、４４、４５、４６が形成されている。これらの電極は互いに電気的に絶縁されており、それぞれ独立に電圧の印加を制御することができる。電極４１は、円形であり、円Ｃ１および円Ｃ２の内側に位置し、かつ点Ｐ上に配置されている。電極４２は、環状であり、円Ｃ１の内側に位置し、電極４１の周囲を取り囲むように電極４１と同心円状に配置されている。電極４３、４４、４５、４６は、これらを一体の電極群として見ると、ほぼ環状であり、円Ｃ１の円周と重なり合い、電極４２の周囲を取り囲むように電極４１、４２と同心円状に配置されている。電極４３、４４は、点Ｐに関して互いにほぼ対称となるような形状および配置を有している。電極４１と電極４２との間には透明の環状間隙４８が形成されており、電極４２と電極４３、４４、４５、４６からなる電極群との間には透明の環状間隙４９が形成されている。環状間隙４８、４９には電圧が印加されないか、または常に一定の極性でかつ一定の大きさの電圧が印加されている。【００３９】
図４は、図２中の液晶光学素子２１を矢示IV−IV方向から見た図であり、電極層３４に形成された電極のパターンを示している。図４においても、図３と同様に、電極層３４と統一光軸Ａとが交わる点をＰとし、中心点が点Ｐであり、直径がＤＶＤに関する有効径Ｄ１にほぼ等しい円を円Ｃ１とする。また、中心点が点Ｐであり、直径がＣＤに関する有効径Ｄ２にほぼ等しい円を円Ｃ２とする。【００４０】
図４に示すように、電極層３４には、透明の電極５１、５２、５３、５４、５５、５６、５７、５８、５９、６０が形成されている。これらの電極は互いに電気的に絶縁されており、それぞれ独立に電圧の印加を制御することができる。電極５１ないし５８は、円Ｃ１の円周および円Ｃ２の円周とそれぞれ部分的に重なり合い、かつ円Ｃ１の円周および円Ｃ２の円周に沿うように配置されている。電極５１ないし５８は、電極層３４の外周側に存在しており、電極層３４の内周側には存在していない。電極５９、６０は、円Ｃ１の内側であって、かつ電極層３４の内周側に配置されている。電極５９、６０は、点Ｐに関して互いにほぼ対称となるような形状および配置を有している。電極層３４の中央には透明の空き領域６１が形成されている。空き領域６１には電圧が印加されないか、または常に一定の極性でかつ一定の大きさの電圧が印加されている。【００４１】
収差補正装置１６は、ＤＶＤおよびＣＤに関する球面収差、コマ収差および非点収差を補正することができる。まず、ＤＶＤに関する球面収差を補正するときには、液晶ドライバ２２は、電極層３３に形成された電極４１と、電極４２と、電極４３ないし４６からなる電極群とに対する電圧の印加を制御する。このとき、液晶ドライバ２２は、電極４３ないし４６には同一の極性でかつ同一の大きさの電圧を印加する。次に、ＣＤに関する球面収差を補正するときには、液晶ドライバ２２は、電極層３３に形成された電極４１と、電極層３４に形成された電極５１ないし５８からなる電極群とに対する電圧の印加を制御する。このとき、液晶ドライバ２２は、電極５１ないし５８に同一の極性でかつ同一の大きさの電圧を印加する。次に、ＤＶＤおよびＣＤに関するコマ収差を補正するときには、液晶ドライバ２２は、電極層３３に形成された電極４３、４４と、電極層３４に形成された電極５９、６０とに対する電圧の印加を制御する。次に、ＤＶＤおよびＣＤに関する非点収差を補正するときには、液晶ドライバ２２は、電極層３４に形成された電極５１ないし５８に対する電圧の印加を制御する。【００４２】
ここで、ＣＤに関する球面収差の補正について説明を補足する。ＣＤに関する球面収差を補正するときには、電極層３３に形成された電極４１と、電極層３４に形成された電極５１ないし５８からなる電極群とが用いられる。図３に示すように、電極４１は、円Ｃ２の内側に位置し、かつ点Ｐ上に位置する。図４に示すように、電極５１ないし５８からなる電極群は、円Ｃ２の円周に重なり合っている。さらに、図３中の電極層３３と図４中の電極層３４とを重ね合わせてみるとわかるように、電極４１と電極５１ないし５８からなる電極群との間には、電極４１と電極５１ないし５８からなる電極群とに対する電圧の印加によっては液晶に対して電圧が印加されないほぼ環状の領域（以下、これを「非印加領域」という）が存在する。液晶ドライバ２２は、ＣＤの球面収差を補正するとき、電極４１に対応する光ビームの波面と、電極５１ないし５８からなる電極群に対応する光ビームの波面とを、非印加領域に対応する光ビームの波面にほぼ一致させるように、電極４１と電極５１ないし５８からなる電極群とに対する電圧の印加を制御する。すなわち、電極４１は光ビームの中央部分に対応する。電極５１ないし５８からなる電極群は光ビームの外周部分に対応する。非印加領域は光ビームの中央部分と外周部分との間に位置する中間環状部分に対応する。液晶ドライバ２２は、電極４１と電極５１ないし５８からなる電極群とに対してのみ電圧の印加を制御するので、非印加領域に対しては電圧が印加されないか、または同一の極性でかつ同一の大きさの電圧が維持される。この結果、光ビームの中間環状部分の波面は変化しない。一方、液晶ドライバ２２が電極４１と電極５１ないし５８からなる電極群とに対する電圧の印加を制御することにより、光ビームの中央部分の波面および外周部分の波面が、光ビームの中間環状部分の波面とほぼ一致するように変化する。このようにしてＣＤに関する球面収差を補正することができる。【００４３】
図５は収差補正装置１６のマイクロコンピュータ２３の内部構造を示している。マイクロコンピュータ２３は、光ディスク１８の種類に応じて収差の選択および収差の順位設定を行う。そして、マイクロコンピュータ２３は、選択された収差および設定された収差順位に従って液晶ドライバ２２を制御し、液晶光学素子２１の各電極４１ないし４６、５１ないし６０に対する電圧の印加を制御し、これにより２種類または３種類の収差の補正を順次実行する。マイクロコンピュータ２３は、図５に示すように、ディスク判別部７１、順位設定部７２、記憶部７３および駆動制御部７４を備えている。【００４４】
ディスク判別部７１は、光ディスク１８の種類を判別する。例えば、マイクロコンピュータ２３は、光ピックアップ１を制御し、光ビームを光ディスク１８に照射し、光ビームの焦点位置を上下させ、これによって得られるフォーカスエラー信号のＳ字カーブの振幅およびＳ字カーブの個数を検出する。ディスク判別部７１は、Ｓ字カーブの振幅の大きさおよび個数に基づいて、現在挿入されている光ディスク１８の種類を判別する。なお、光ディスク１８の種類の判別精度を高めるために、Ｓ字カーブの振幅の大きさおよび個数を検出する方法に加え、光ビームが光ディスク１８の記録面上に集光したときの光量を測定する方法を採用してもよい。また、光ディスク１８に記録されているディスク情報を読み取ることにより光ディスク１８の種類を判別してもよい。光ディスク１８の種類には、ＤＶＤ−ＲＯＭ、ＤＶＤ−Ｒ、ＤＶＤ−ＲＷ、ＤＶＤ−ＲＡＭ、２層ＤＶＤ−ＲＯＭ、２層ＤＶＤ−Ｒ、ＣＤ−ＲＯＭ、ＣＤ−Ｒ、ＣＤ−ＲＷなどがある。【００４５】
順位設定部７２は、ディスク判別部７１により判別された光ディスク１８の種類に対応した順位を球面収差、コマ収差および非点収差のそれぞれにつき設定する。また、順位設定部７２は、ディスク判別部７１により判別された光ディスク１８の種類に対応した２種類の収差を球面収差、コマ収差および非点収差の中から選択し、かつディスク判別部７１により判別された光ディスク１８の種類に対応した順位を、選択された２種類の収差のそれぞれにつき設定する。順位設定部７２は、記憶部７３に記憶された順位設定テーブルを参照し、順位設定テーブルに基づいて収差の選択および収差の順位設定を行う。【００４６】
記憶部７３は、半導体メモリなどの記憶素子またはハードディスクなどの記録媒体により構成されている。記憶部７３には順位設定テーブルが記録されている。【００４７】
図６は順位設定テーブルの一例を示している。順位設定テーブル７５には、設定すべき収差の順位と光ディスクの種類との対応関係を示す情報、および選択すべき２種類の収差と光ディスクの種類との対応関係を示す情報が記録されている。例えば、図６に示すように、順位設定テーブル７５には、ＤＶＤ−ＲＡＭおよび２層ＤＶＤ−Ｒについては、設定すべき３種類の収差の順位を示す情報がそれぞれ記録されている。また、ＤＶＤ−ＲＷおよびＣＤ−Ｒについては、選択すべき２種類の収差を示す情報および設定すべき２種類の収差の順位を示す情報がそれぞれ記録されている。【００４８】
収差補正の重要性は、球面収差、コマ収差、非点収差といった収差の種類によって異なる。さらに、収差補正の重要性の順序は、光ディスクの種類によって異なる。ＤＶＤ−ＲＡＭに関する収差補正の重要性の高い順序は、例えば非点収差、球面収差、コマ収差である。２層ＤＶＤ−Ｒに関する収差補正の重要性の高い順序は、例えば球面収差、非点収差、コマ収差である。また、ＤＶＤ−ＲＷに関する収差補正の重要性の高い順序は、例えばコマ収差、非点収差、球面収差である。ＤＶＤ−ＲＷに関する球面収差補正は重要性が低いため省略することができる。また、ＣＤ−Ｒに関する収差補正の重要性の高い順序は、例えばコマ収差、球面収差、非点収差である。ＣＤ−Ｒに関する非点収差補正の重要性は低いため省略することができる。例えば、順位設定テーブル７５には、収差補正の重要性の高い順序に従って予め決められた収差の順位が光ディスクの種類ごとに記録されている。そして、順位設定テーブル７５には、３種類の収差のすべてについて収差補正が必要な光ディスクについては、３種類の収差の順位が記録され、２種類の収差について収差補正が必要で、残りの１種類については収差補正を省略することができる光ディスクについては、２種類の収差の順位が記録されている。このような順位設定テーブル７５に基づいて順位設定部７２により設定された収差の順位は、ディスク判別部７１により判別された光ディスク１８にとって収差補正の重要性が高い順位となる。【００４９】
図５に戻り、駆動制御部７４は、順位設定部７２により設定された収差の順位に従って球面収差、コマ収差および非点収差を順に除去または低減するように、液晶光学素子２１における光ビームの光路長の部分的変更を制御する。また、駆動制御部７４は、順位設定部７２により選択された２種類の収差を、順位設定部７２により設定された順位に従って順に除去または低減するように、液晶光学素子２１における光ビームの光路長の部分的変更を制御する。すなわち、駆動制御部７４は、順位設定部７２により設定された２種類または３種類の収差の順位に従って、２種類または３種類の収差の補正を順に実行する。つまり、駆動制御部７４は、このような複数種類の収差補正を順次実行すべく、液晶ドライバ２２を制御し、液晶光学素子２１の各電極に対する電圧の印加を制御する。なお、駆動制御部７４は、液晶ドライバ２２と共に、光学素子制御手段の具体例である。【００５０】
マイクロコンピュータ２３における収差補正処理の動作は以下のとおりである。ユーザが、例えば光ピックアップ１が搭載されたディスクドライブに光ディスク１８を挿入すると、ディスク判別部７１は、光ディスク１８の種類判別を直ちに行う。続いて、順位設定部７２は、記憶部７３に記憶された順位設定テーブル７５を参照し、ディスク判別部７１により判別された光ディスク１８の種類に対応する収差の順位を設定する。例えば、光ディスク１８がＤＶＤ−ＲＡＭである場合には、順位設定部７２は、第１順位−非点収差；第２順位−球面収差；第３順位−コマ収差というように収差の順位を設定する。また、光ディスク１８が２層ＤＶＤ−Ｒである場合には、順位設定部７２は、第１順位−球面収差；第２順位−非点収差；第３順位−コマ収差というように収差の順位を設定する。また、光ディスク１８がＤＶＤ−ＲＷである場合には、順位設定部７２は、第１順位−コマ収差；第２順位−非点収差というように収差の順位を設定する。また、光ディスク１８がＣＤ−Ｒである場合には、順位設定部７２は、第１順位−コマ収差；第２順位−球面収差というように収差の順位を設定する。続いて、駆動制御部７４は、順位設定部７２により設定された順位に従って収差補正を順次実行すべく、液晶ドライバ２２を順次制御し、液晶光学素子２１の各電極に対する電圧印加を順次制御する。【００５１】
図７は、ＤＶＤ−ＲＡＭに対する収差補正が、非点収差補正、球面収差補正、コマ収差補正の順序で行われた場合における光ビームのある部分の波面の変化（光路長の部分的な変化）を示している。図７において、光ビームの波面は、液晶光学素子２１における光路長の変更可能範囲Ｒ０内において変化させることができる。収差補正処理が実行される前において光ビームのある部分は例えば波面Ｗ０を有しているとする。この段階で、波面Ｗ０は図７中の矢示Ｆ方向に範囲Ｒ１内において変化させることができる。これは、第１順位の非点収差の補正を行うために、光ビームの波面Ｗ０を範囲Ｒ１内において自由に動かすことができることを意味する。【００５２】
収差補正処理が開始されると、まず、第１順位の非点収差の補正が実行される。補正実行の結果、波面Ｗ０が例えば矢示Ｆ方向に変化し、波面Ｗ１になったとする。この段階で、波面Ｗ１は矢示Ｆ方向に範囲Ｒ２において変化させることができる。これは、第２順位の球面収差の補正を行うために、光ビームの波面Ｗ１を範囲Ｒ２内において自由に動かすことができることを意味する。【００５３】
次に、第２順位の球面収差の補正が実行される。補正実行の結果、波面Ｗ１が例えば矢示Ｆ方向に変化し、波面Ｗ２になったとする。この段階で、波面Ｗ２は矢示Ｆ方向に範囲Ｒ３において変化させることができる。これは、第３順位のコマ収差の補正を行うために、光ビームの波面Ｗ２を範囲Ｒ３内において自由に動かすことができることを意味する。【００５４】
次に、第３順位のコマ収差の補正が実行される。コマ収差が小さく、コマ収差の補正により、光ビームの波面Ｗ２の矢示Ｆ方向における変化が範囲Ｒ３内に収まる場合には、補正実行の結果、波面Ｗ２は波面Ｗ３に変化する。これは、コマ収差の補正が十分に行われたことを意味する。ところが、コマ収差が大きく、コマ収差の補正により、光ビームの波面Ｗ２の矢示Ｆ方向における変化が範囲Ｒ３内に収まらない場合には、補正実行の結果、波面Ｗ２は波面Ｗ４に変化するにとどまる。すなわち、この場合、波面Ｗ２は光路長の変更可能範囲Ｒ０の上限に達してしまい、もはや当該波面を波面Ｗ４から矢示Ｆ方向に変化させることはできない。これは、コマ収差の補正が十分に行われなかったことを意味する。しかし、ＤＶＤ−ＲＡＭにとってコマ収差の補正は、非点収差の補正および球面収差の補正と比較して重要性が低い。したがって、コマ収差の補正が十分に行われなかったとしても、その影響は、例えば非点収差の補正または球面収差の補正が十分に行われなかった場合と比較して小さい。すなわち、ＤＶＤ−ＲＡＭに関しては、たとえコマ収差の補正が十分に行われなくても、非点収差の補正および球面収差の補正が十分に行われれば、ＤＶＤ−ＲＡＭに対する情報の記録または読取の安定性および良好な精度を確保することができる。【００５５】
ここで注意すべきことは、図７に示すように、光路長の変更可能範囲Ｒ０を使い切るほど波面を変化させるような事態が生じることは、頻繁にはないということである。すなわち、このような事態が生じるときは、大きな非点収差、大きな球面収差および大きなコマ収差が同時に発生したときである。このような事態が生じるのは稀であろう。【００５６】
以上説明したとおり、収差補正装置１６は、光ディスク１８の種類を判別し、光ディスク１８の種類に応じて収差の順位を設定し、収差の順位に従って光ビームの収差を順に補正する。そして、判別された光ディスクの種類に応じた、収差補正の重要性の高い順序に従って収差順位の設定を行うこととすれば、判別された光ディスクの種類に応じた、収差補正の重要性の高い順序で、収差補正を実行することができる。したがって、たとえ光ディスク１８に関するすべての収差補正に必要な光路長の変更範囲が、液晶光学素子２１における光路長の変更可能範囲を超えてしまう場合でも、この光ディスク１８にとって補正の重要性がもっとも高い、第１順位の収差補正は少なくとも十分に実行することができる。さらに、この光ディスク１８にとって補正の重要性が２番目に高い、第２順位の収差補正も多くの場合、十分に実行することができる。そして、たとえ第３順位の収差補正を十分に行うことができなかったとしても、その収差補正は当該光ディスク１８にとって補正の重要性がもっとも低いものなので、その収差補正が不十分なことにより生じる影響（情報の記録または読取の安定性および精度に対する影響）は比較的小さい。【００５７】
このように、収差補正装置１６によれば、液晶光学素子２１における光路長の変更可能範囲を拡張することなく、複数種類の光ディスクにそれぞれ対応する複数の光ビームについての収差補正をその重要度に応じて行うことができる。したがって、複数種類の光ディスクにそれぞれ対応する複数の光ビームについての収差を効果的に補正することができ、これにより複数種類の光ディスクに対する情報の記録または読取の安定性または適切な精度を確保することができる。【００５８】
（第２実施形態）
図８は、本発明の収差補正装置の第２実施形態におけるマイクロコンピュータの内部構造を示している。本発明の第２実施形態の特徴は、球面収差、コマ収差および非点収差のうちのいずれか２種類またはすべての中から、光ディスクの種類に対応した１種類の収差を選択し、この選択された収差について補正を行うことにある。すなわち、第１実施形態では、光ディスクの種類に応じて複数種類の収差の順位を設定するのに対し、第２実施形態では、光ディスクの種類に応じて１種類の収差を選択する。なお、図８において、図５に示す収差補正装置（マイクロコンピュータ）の第１実施形態と同一の構成要素には同一の符号を付し、その説明を省略する。【００５９】
図８に示すように、マイクロコンピュータ８１は、順位設定部の代わりに収差選択部８２を備えている。収差選択部８２は、球面収差、コマ収差および非点収差のうちのいずれか２種類またはすべての中から、ディスク判別部７１により判別された光ディスクの種類に対応した１種類の収差を選択する。また、マイクロコンピュータ８１の記憶部７３には、順位設定テーブルではなく、図９に示すような収差選択テーブル８３が記憶されている。収差選択部８２は、記憶部７３に記憶された収差選択テーブル８３を参照し、収差選択テーブル８３に基づいて収差の選択を行う。そして、駆動制御部７４は、収差選択部８２により選択された収差を除去または低減するように、液晶光学素子２１における光ビームの光路長の部分的変更を制御する。【００６０】
図９に示すように、収差選択テーブル８３には、選択すべき収差と光ディスクの種類との対応関係を示す情報が記録されている。例えば、収差選択テーブル８３には、収差補正の重要性のもっとも高い収差の種類が光ディスクの種類ごとに記録されている。このような収差選択テーブル８３に基づいて収差選択部８２により選択された収差は、ディスク判別部７１により判別された光ディスク１８にとって収差補正の重要性がもっとも高いものとなる。【００６１】
マイクロコンピュータ８１における収差補正処理の動作は以下のとおりである。ユーザが、例えば光ピックアップ１が搭載されたディスクドライブに光ディスク１８を挿入すると、ディスク判別部７１は、光ディスク１８の種類判別を直ちに行う。続いて、収差選択部８２は、記憶部７３に記憶された収差選択テーブル８３を参照し、ディスク判別部７１により判別された光ディスク１８の種類に対応する収差を選択する。例えば、光ディスク１８がＤＶＤ−ＲＡＭである場合には、収差選択部８２は非点収差を選択する。また、光ディスク１８が２層ＤＶＤ−Ｒである場合には、収差選択部８２は球面収差を選択する。また、光ディスク１８がＤＶＤ−ＲＷまたはＣＤ−Ｒである場合には、収差選択部８２はコマ収差を選択する。続いて、駆動制御部７４は、収差選択部８２により選択された収差の補正を実行すべく、液晶ドライバ２２を制御し、液晶光学素子２１の各電極に対する電圧印加を制御する。【００６２】
以上説明したとおり、収差補正装置の第２実施形態は、光ディスク１８の種類を判別し、光ディスク１８の種類に応じて収差を選択し、選択された収差の補正を光ビームに対して実行する。そして、判別された光ディスクの種類にとって補正の重要性がもっとも高い収差を選択することとすれば、判別された光ディスクの種類に応じて、補正の重要性がもっとも高い収差を確実に補正することができる。すなわち、判別された光ディスクにとって補正の重要性がさほど高くない収差の補正が先に行われたことにより、液晶光学素子２１における光路長の変更可能範囲の限界に光ビームの波面が接近し、このため当該光ディスクにとって補正の重要性がもっとも高い収差の補正が十分に行われない、といったことを防止することができる。【００６３】
このように、収差補正装置の第２実施形態によれば、液晶光学素子２１における光路長の変更可能範囲を拡張することなく、複数種類の光ディスクにそれぞれ対応する複数の光ビームについての収差補正をその重要度に応じて行うことができる。したがって、複数種類の光ディスクにそれぞれ対応する複数の光ビームについての収差を効果的に補正することができ、これにより複数種類の光ディスクに対する情報の記録または読取の安定性または適切な精度を確保することができる。【００６４】
なお、液晶光学素子２１の電極層３３、３４に形成された複数の電極の形状、個数、配置は、図３および図４に示したものに限定されない。例えば、図３中の電極４１の周囲を取り囲むように同心円状に配置されたほぼ環状の電極（第２電極）を３個以上形成してもよい。【００６５】
また、図３および図４では、ＤＶＤに関する球面収差の補正に用いられる電極は電極層３３に形成され、非点収差の補正に用いられる電極は電極層３４に形成され、コマ収差の補正に用いられる電極は電極層３３、３４に分散して形成されている。しかし、このような電極と電極層との配置関係は一例にすぎず、これに限定されない。【００６６】
また、ＣＤに関する球面収差の補正に関する電極の用い方は一例にすぎない。例えば、ＣＤに関する球面収差補正用の電極パターンを電極層３３、３４に追加してもよい。【００６７】
また、図５中の順位設定部７２は、記憶部７３に記憶された順位設定テーブル７５に基づいて収差の順位設定および収差の選択を行う場合を例にあげて説明したが、本発明はこれに限られない。例えば、ユーザの手動入力に基づいて収差の順位設定および収差の選択を行ってもよい。また、設定すべき収差の順位を示す情報、または選択すべき収差を示す情報を光ディスク１８に記録しておき、収差補正を行う前に、この情報を光ディスク１８から読み取り、収差の順位設定または収差の選択を行う構成としてもよい。また、図８中の収差選択手段８２における収差の選択についても同様である。【００６８】
また、光ビームの光路長を部分的に変更することができる光学素子として液晶光学素子２１をあげたが、本発明の光学素子は液晶光学素子に限られない。【００６９】
また、本発明の収差補正装置は、ＤＶＤ／ＣＤ兼用の光ピックアップに限らず、複数種類の光ディスクに兼用することができる構造を備えた他の光ピックアップにも適用することができる。【００７０】
さらに、本発明は、請求の範囲および明細書全体から読み取るこのできる発明の要旨または思想に反しない範囲で適宜変更可能であり、そのような変更を伴う収差補正装置、光ピックアップおよび収差補正方法もまた本発明の技術思想に含まれる。
【産業上の利用可能性】
【００７１】
本発明に係る収差補正装置、光ピックアップおよび収差補正方法は、例えば光ディスクに対して情報の記録または読取を行うために用いられる光ビームの収差を補正するための収差補正装置、収差補正装置を備えた光ピックアップおよび収差補正方法に利用可能である。
【図１】
0004340706.tif 000002
【図２】
0004340706.tif 000003
【図３】
0004340706.tif 000004
【図４】
0004340706.tif 000005
【図５】
0004340706.tif 000006
【図６】
0004340706.tif 000007
【図７】
0004340706.tif 000008
【図８】
0004340706.tif 000009
【図９】
0004340706.tif 000010